(57)【要約】【課題】コイルの周長が短く、一次銅損の少ない効率の良い、省資源化を達成できる電動機を得る。【解決手段】複数の磁極片２を備えた内輪磁極部３に回転子４を収め、回転軸１１を嵌着した回転子４を包むように内輪磁極部３にコイル５〜８を巻回し、この内輪磁極部３を、外輪部を構成する外輪ヨーク部９に内嵌合させて構成した電動機について、その回転子４の二次導体を構成するエンドリング１０を、コイル５〜８の巻回し部分に相対する部分１２について薄く構成し、コイル５〜８の巻回し部分に対応しない部分において薄くした分の質量を凸状リング部１６や凸部によって補完する。【選択図】          図２
2004215453.tif 000002
【特許請求の範囲】
【請求項１】
複数の磁極片を備えた内輪磁極部に回転子を収め、回転軸を嵌着した回転子を包むように前記内輪磁極部にコイルを巻回し、この内輪磁極部を、外輪部を構成する外輪ヨーク部に内嵌合させて構成した電動機であって、前記回転子の二次導体を構成するエンドリングを、前記コイルの巻回し部分に相対する部分について薄く構成し、前記コイルの巻回し部分に対応しない部分において薄くした分の質量を補完した構成の電動機。
【請求項２】
請求項１に記載の電動機であって、回転子の回転軸回りにおいて薄くした分の質量を軸方向に突出する凸部として補完した電動機。
【請求項３】
請求項１に記載の電動機であって、回転子の回転軸回りにおいて薄くした分の質量を軸方向に突入する突入部として補完した電動機。
【請求項４】
請求項１に記載の電動機であって、回転子の回転軸回りにおいて薄くした分の質量を軸方向に突出する凸状リング部として補完した電動機。
【請求項５】
複数の磁極片を備えた内輪磁極部に回転子を収め、回転軸を嵌着した回転子を包むように前記内輪磁極部にコイルを巻回し、この内輪磁極部を、外輪部を構成する外輪ヨーク部に内嵌合させて構成した電動機について、その回転子の二次導体を構成するエンドリングを、前記コイルの巻回し部分に相対する部分について薄く構成し、前記コイルの巻回し部分に対応しない部分において薄くした分の質量を補完した構成とし、この電動機の前記回転軸に空気流を形成する羽根車を装着した送風機。
【発明の詳細な説明】
【０００１】
【発明の属する技術分野】
本発明は、回転子巻込み式の内回転型の電動機及びその電動機を使った送風機に関するものである。
【０００２】
【従来の技術】
回転子巻込み式の電動機は、複数のスロットを形成する複数の磁極片を備えた内輪磁極部に回転子を収め、回転子を包むようにスロットに主コイルと補コイルを井桁に巻回し、内輪磁極部を、外輪部を構成する外輪ヨーク部に内嵌合させて構成されている（例えば、特許文献１参照）。
【０００３】
【特許文献１】
特開平２―１６８８３４号公報（第１頁〜第２頁、図１）
【０００４】
【発明が解決しようとする課題】
従来の回転子巻込み式の電動機は、回転子の二次導体を構成するエンドリングの厚さが均一で、固定子の軸方向の長さが長くなっているためコイルの周長もその分長くなっており、コイル量が多く、一次銅損が大きいため効率が悪かった。
【０００５】
本発明は、係る従来の問題点を解決するためになされたものであって、その課題とするところは、コイルの周長が短く、一次銅損の少ない効率の良い、省資源化を達成できる電動機を得ることであり、その電動機を使った性能の良い送風機を得ることである。
【０００６】
【課題を解決するための手段】
前記課題を達成するために本発明は、複数の磁極片を備えた内輪磁極部に回転子を収め、回転軸を嵌着した回転子を包むように内輪磁極部にコイルを巻回し、この内輪磁極部を、外輪部を構成する外輪ヨーク部に内嵌合させて構成した電動機について、その回転子の二次導体を構成するエンドリングを、コイルの巻回し部分に相対する部分について薄く構成し、コイルの巻回し部分に対応しない部分において薄くした分の質量を補完する手段を採用する。
【０００７】
前記課題を達成するために他の発明は、複数の磁極片を備えた内輪磁極部に回転子を収め、回転軸を嵌着した回転子を包むように内輪磁極部にコイルを巻回し、この内輪磁極部を、外輪部を構成する外輪ヨーク部に内嵌合させて構成した電動機について、その回転子の二次導体を構成するエンドリングを、コイルの巻回し部分に相対する部分について薄く構成し、コイルの巻回し部分に対応しない部分において薄くした分の質量を補完した構成とし、この電動機の回転軸に空気流を形成する羽根車を装着する手段を採用する。
【０００８】
【発明の実施の形態】
図１〜図５によって示す本実施の形態は送風機に関するものである。この送風機は、図１に示すように支持部１７に対して電動機部１８が支持され、電動機部１８に収められた電動機に羽根車１９が装着されている。電動機部１８に収められている電動機は、回転子巻込み式の内回転型の電動機であり、外殻の一部を除いて示す図２及び外殻を除いて示す図３に示すように複数のスロット１を形成する複数の磁極片２を備えた内輪磁極部３に回転子４を収め、回転子４を包むようにスロット１に主コイル５，６と補コイル７，８を巻回した内輪磁極部３を、外輪部を構成する外輪ヨーク部９に内嵌合させて構成している。
【０００９】
主コイル５と主コイル６、補コイル７と補コイル８とはそれぞれ同極となるように巻回され、主コイル５，６と補コイル７，８とは電気角９０度になるように配置されている。回転子４は、回転子鉄心に二次導体としてアルミニウムのダイカストによりエンドリング１０を形成して構成され、回転軸１１が嵌着されている。エンドリング１０は、主コイル５，６と補コイル７，８の巻回し部分に相対する部分１２については薄く構成され、主コイル５，６と補コイル７，８の巻回し部分に対応しない部分１３において薄くした分の質量が補完されている。従って、巻数は同じでも主コイル５，６と補コイル７，８の周長はエンドリング１０を薄くした分短くなっており、コイル量は少なくなっている。
【００１０】
つまり、重量が少なく、抵抗値、一次銅損も減少し、効率の高い電動機である。エンドリング１０の薄くした分の質量を補完する具体策としては、図４に示すように軸回り部分を軸方向に凸部１４として突出させる仕方と、図５に示すように軸方向に回転子鉄心側へ突入部１５として突入させる仕方と、図２に示すように軸方向に凸状リング部１６として突出させる仕方がある。凸部１４を設ける仕方は、補完する質量が得やすく、エンドリング１０をより薄くすることが可能である。また、突入部１５を設ける仕方は、軸方向の長さを縮小でき、電動機の小型化を図ることができる。さらに、凸状リング部１６を設ける仕方は、成形が容易で回転軸１１のカシメ付けも容易に行うことができる。このような電動機の回転軸１１に羽根車１９を装着した送風機は、低重量で低コストなうえ、性能の良いものとなる。
【００１１】
【発明の効果】
本発明によれば、コイルの周長が短く、一次銅損の少ない効率の良い、省資源化を達成できる電動機が得られる。
【００１２】
また、他の発明によれば、低重量の性能の良い送風機が得られる。
【図面の簡単な説明】
【図１】実施の形態の送風機を示す側面図である。
【図２】実施の形態の電動機を外殻の一部を除いて示す正面図である。
【図３】実施の形態の電動機を外殻を除いて示す端面図である。
【図４】実施の形態の電動機の回転子の正面図である。
【図５】実施の形態の電動機の他の回転子の正面図である。
【符号の説明】
２  磁極片、  ３  内輪磁極部、  ４  回転子、  ５，６  主コイル、  ７，８  補コイル、  ９  外輪ヨーク部、  １０  エンドリング、  １４  凸部、  １５  突入部、  １６  凸状リング部、  １９  羽根車。
【図１】
2004215453.tif 000003
【図２】
2004215453.tif 000004
【図３】
2004215453.tif 000005
【図４】
2004215453.tif 000006
【図５】
2004215453.tif 000007